【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
表示素子と、
前記表示素子の第１の面上に、前記表示素子の画面エリアを囲んで貼付けられたスペーサと、
前記第１の面側に配置され、前記第１の面を覆う形状に形成された透明板からなり、当該透明板の２つの板面のうちの前記第１の面と対向する面に、前記スペーサで囲まれた領域の互いに対向する２つの辺に少なくとも対応する側からそれぞれ前記領域の中央部に対応する側に向かって前記第１の面側に突出する方向に傾斜した形状の山状面が形成され、前記第１の面と対向する面を前記スペーサに当接された保護板と、
前記表示素子と前記保護板との間の間隙の前記スペーサで囲まれた前記領域に充填され、充填後に重合されて前記表示素子と前記保護板を接合する樹脂層と、
を備えることを特徴とする保護板一体型表示パネル。
【請求項２】
前記保護板の前記山状面は、前記第１の面と対向する面のうちの前記スペーサで囲まれた前記領域に形成され、前記山状面よりも外側の部分は、前記保護板の全周にわたって平坦面に形成されていることを特徴とする請求項１に記載の保護板一体型表示パネル。
【請求項３】
前記保護板の前記山状面は、前記領域に頂部を有し、前記保護板の全周にわたる前記平坦面からの前記頂部の高さが前記スペーサの厚さよりも小さく設定されていることを特徴とする請求項１または２に記載の保護板一体型表示パネル。
【請求項４】
前記保護板の全周にわたる前記平坦面には、前記表示素子の前記画面エリア外に対応させて、遮光膜が形成されていることを特徴とする請求項１乃至３のいずれかに記載の保護板一体型表示パネル。
【請求項５】
前記保護板の前記山状面は、前記スペーサで囲まれた前記領域の４つの辺に対応する側からそれぞれ前記領域の中央部に対応する側に向かって前記第１の面側に突出する方向に傾斜した形状に形成されていることを特徴とする請求項１乃至４のいずれかに記載の保護板一体型表示パネル。
【請求項６】
前記保護板は、強化ガラス板またはアクリル樹脂板からなることを特徴とする請求項１乃至５のいずれかに記載の保護板一体型表示パネル。
【請求項７】
前記樹脂層の重合後の屈折率は、前記表示素子の前記第１の面を形成する偏光板の屈折率と同じかまたは屈折率の差が小さいことを特徴とする請求項１乃至６のいずれかに記載の保護板一体型表示パネル。
【請求項８】
前記樹脂層は、紫外線重合性と熱重合性の両方の特性を有することを特徴とする請求項１乃至７のいずれかに記載の保護板一体型表示パネル。
【請求項９】
表示素子と、前記表示素子の第１の面側に配置された保護板とを、これらの間の間隙に充填され、充填後に重合された樹脂層により接合した保護板一体型表示パネルの製造方法において、
前記第１の面上に、前記表示素子の画面エリアを囲んでスペーサを貼付ける工程と、
前記第１の面上の前記スペーサで囲まれた領域に未重合の樹脂を供給する工程と、
前記第１の面側に、前記第１の面を覆う形状に形成された透明板からなる保護板を配置し、当該保護板を、前記供給された未重合樹脂の層に、前記スペーサで囲まれた前記領域の中央部に対応する部分よりも他の部分が前記領域の辺部に近い側ほど遅れて前記未重合樹脂の層に当接する時間差を設けて押し付けることにより、前記表示素子と前記保護板との間の間隙の前記スペーサで囲まれた前記領域に前記未重合樹脂を充填した状態で前記保護板を前記スペーサに当接させる工程と、
前記充填された未重合樹脂を重合させる工程と、
を備えることを特徴とする保護板一体型表示パネルの製造方法。
【請求項１０】
前記未重合樹脂は、ディスペンサによる滴下、転写またはスクリーン印刷の手段により、前記表示素子の前記第１の面上の前記スペーサで囲まれた前記領域全体に、前記スペーサの厚さよりも厚く供給することを特徴とする請求項９に記載の保護板一体型表示パネルの製造方法。
【請求項１１】
前記樹脂層は、紫外線重合性と熱重合性の両方の特性を有し、前記重合工程は紫外線重合工程に引き続く熱重合工程からなることを特徴とする請求項９または１０に記載の保護板一体型表示パネルの製造方法。
【請求項１２】
前記保護板は、前記第１の面と対向する面に、前記スペーサで囲まれた前記領域の互いに対向する２つの辺に少なくとも対応する側からそれぞれ前記領域の中央部に対応する側に向かって前記第１の面側に突出する方向に傾斜した形状の山状面が形成された透明板からなり、当該保護板の前記山状面を未重合樹脂の層に押し付けることを特徴とする請求項９乃至１１のいずれかに記載の保護板一体型表示パネルの製造方法。
【請求項１３】
前記保護板は、前記第１の面と対向する面に、前記スペーサで囲まれた前記領域の４つの辺に対応する側からそれぞれ前記領域の中央部に対応する側に向かって前記第１の面側に突出する方向に傾斜した形状の山状面が形成された透明板からなり、当該保護板の前記山状面を未重合樹脂の層に押し付けることを特徴とする請求項１２に記載の保護板一体型表示パネルの製造方法。
【請求項１４】
前記保護板は、平板状の透明板からなり、前記保護板を、前記スペーサで囲まれた前記領域の中央部に対応する部分を前記第１の面側に膨らませた円筒面状に湾曲させて未重合樹脂の層の中央部に当接させ、その後に、前記保護板を前記湾曲状態から元の平板状態に戻しながら前記未重合樹脂の層に押し付けることを特徴とする請求項９乃至１１のいずれかに記載の保護板一体型表示パネルの製造方法。
【請求項１５】
前記保護板は、矩形形状であり、前記保護板をその長手方向に湾曲させることを特徴とする請求項１４に記載の保護板一体型表示パネルの製造方法。
【請求項１６】
前記保護板は、平板状の透明板からなり、前記表示素子の前記第１の面上に、自重によって流れ広がらない程度の粘性をもった未重合樹脂を、前記スペーサで囲まれた前記領域の中央部に対応する部分を頂部とする山形に盛り上がらせて供給し、この未重合樹脂の層の上に前記保護板を押し付けることを特徴とする請求項９乃至１１のいずれかに記載の保護板一体型表示パネルの製造方法。
【請求項１７】
前記未重合樹脂は、ディスペンサによる滴下、転写またはスクリーン印刷の手段により、前記表示素子の前記第１の面上の前記スペーサで囲まれた前記領域全体に加えて、前記スペーサの上にはみ出した状態に供給することを特徴とする請求項１６に記載の保護板一体型表示パネルの製造方法。
【手続補正２】
【補正対象書類名】明細書
【補正対象項目名】０００７
【補正方法】変更
【補正の内容】
【０００７】
この発明の請求項１に記載の保護板一体型表示パネルは、表示素子と、前記表示素子の第１の面上に、前記表示素子の画面エリアを囲んで貼付けられたスペーサと、前記第１の面側に配置され、前記第１の面を覆う形状に形成された透明板からなり、当該透明板の２つの板面のうちの前記第１の面と対向する面に、前記スペーサで囲まれた領域の互いに対向する２つの辺に少なくとも対応する側からそれぞれ前記領域の中央部に対応する側に向かって前記第１の面側に突出する方向に傾斜した形状の山状面が形成され、前記第１の面と対向する面を前記スペーサに当接された保護板と、前記表示素子と前記保護板との間の間隙の前記スペーサで囲まれた前記領域に充填され、充填後に重合されて前記表示素子と前記保護板を接合する樹脂層と、を備えることを特徴とする。
【手続補正３】
【補正対象書類名】明細書
【補正対象項目名】０００８
【補正方法】変更
【補正の内容】
【０００８】
請求項２に記載の発明は、前記請求項１に記載の保護板一体型表示パネルにおいて、前記保護板の前記山状面は、前記第１の面と対向する面のうちの前記スペーサで囲まれた前記領域に形成され、前記山状面よりも外側の部分は、前記保護板の全周にわたって平坦面に形成されていることを特徴とする。
また、請求項３に記載の発明は、前記請求項１または２に記載の保護板一体型表示パネルにおいて、前記保護板の前記山状面は、前記領域に頂部を有し、前記保護板の全周にわたる前記平坦面からの前記頂部の高さが前記スペーサの厚さよりも小さく設定されていることを特徴とする。
また、請求項４に記載の発明は、前記請求項１乃至３のいずれかに記載の保護板一体型表示パネルにおいて、前記保護板の全周にわたる前記平坦面には、前記表示素子の前記画面エリア外に対応させて、遮光膜が形成されていることを特徴とする。
また、請求項５に記載の発明は、前記請求項１乃至４のいずれかに記載の保護板一体型表示パネルにおいて、前記保護板の前記山状面は、前記スペーサで囲まれた前記領域の４つの辺に対応する側からそれぞれ前記領域の中央部に対応する側に向かって前記第１の面側に突出する方向に傾斜した形状に形成されていることを特徴とする。
また、請求項６に記載の発明は、前記請求項１乃至５のいずれかに記載の保護板一体型表示パネルにおいて、前記保護板は、強化ガラス板またはアクリル樹脂板からなることを特徴とする。
【手続補正４】
【補正対象書類名】明細書
【補正対象項目名】０００９
【補正方法】変更
【補正の内容】
【０００９】
請求項７に記載の発明は、前記請求項１乃至６のいずれかに記載の保護板一体型表示パネルにおいて、前記樹脂層の重合後の屈折率は、前記表示素子の前記第１の面を形成する偏光板の屈折率と同じかまたは屈折率の差が小さいことを特徴とする。
また、請求項８に記載の発明は、前記請求項１乃至７のいずれかに記載の保護板一体型表示パネルにおいて、前記樹脂層は、紫外線重合性と熱重合性の両方の特性を有することを特徴とする。
【手続補正５】
【補正対象書類名】明細書
【補正対象項目名】００１０
【補正方法】変更
【補正の内容】
【００１０】
この発明の請求項９に記載の保護板一体型表示パネルの製造方法は、
表示素子と、前記表示素子の第１の面側に配置された保護板とを、これらの間の間隙に充填され、充填後に重合された樹脂層により接合した保護板一体型表示パネルの製造方法において、
前記第１の面上に、前記表示素子の画面エリアを囲んでスペーサを貼付ける工程と、
前記第１の面上の前記スペーサで囲まれた領域に未重合の樹脂を供給する工程と、
前記第１の面側に、前記第１の面を覆う形状に形成された透明板からなる保護板を配置し、当該保護板を、前記供給された未重合樹脂の層に、前記スペーサで囲まれた前記領域の中央部に対応する部分よりも他の部分が前記領域の辺部に近い側ほど遅れて前記未重合樹脂の層に当接する時間差を設けて押し付けることにより、前記表示素子と前記保護板との間の間隙の前記スペーサで囲まれた前記領域に前記未重合樹脂を充填した状態で前記保護板を前記スペーサに当接させる工程と、
前記充填された未重合樹脂を重合させる工程と、
を備えることを特徴とする。
【手続補正６】
【補正対象書類名】明細書
【補正対象項目名】００１１
【補正方法】変更
【補正の内容】
【００１１】
請求項１０に記載の発明は、前記請求項９に記載の保護板一体型表示パネルの製造方法において、前記未重合樹脂は、ディスペンサによる滴下、転写またはスクリーン印刷の手段により、前記表示素子の前記第１の面上の前記スペーサで囲まれた前記領域全体に、前記スペーサの厚さよりも厚く供給することを特徴とする。
また、請求項１１に記載の発明は、前記請求項９または１０に記載の保護板一体型表示パネルの製造方法において、前記樹脂層は、紫外線重合性と熱重合性の両方の特性を有し、前記重合工程は紫外線重合工程に引き続く熱重合工程からなることを特徴とする。
【手続補正７】
【補正対象書類名】明細書
【補正対象項目名】００１２
【補正方法】変更
【補正の内容】
【００１２】
請求項１２に記載の発明は、前記請求項９乃至１１のいずれかに記載の保護板一体型表示パネルの製造方法において、前記保護板は、前記第１の面と対向する面に、前記スペーサで囲まれた前記領域の互いに対向する２つの辺に少なくとも対応する側からそれぞれ前記領域の中央部に対応する側に向かって前記第１の面側に突出する方向に傾斜した形状の山状面が形成された透明板からなり、当該保護板の前記山状面を未重合樹脂の層に押し付けることを特徴とする。
また、請求項１３に記載の発明は、前記請求項１２に記載の保護板一体型表示パネルの製造方法において、前記保護板は、前記第１の面と対向する面に、前記スペーサで囲まれた前記領域の４つの辺に対応する側からそれぞれ前記領域の中央部に対応する側に向かって前記第１の面側に突出する方向に傾斜した形状の山状面が形成された透明板からなり、当該保護板の前記山状面を未重合樹脂の層に押し付けることを特徴とする。
【手続補正８】
【補正対象書類名】明細書
【補正対象項目名】００１３
【補正方法】変更
【補正の内容】
【００１３】
請求項１４に記載の発明は、前記請求項９乃至１１のいずれかに記載の保護板一体型表示パネルの製造方法において、前記保護板は、平板状の透明板からなり、前記保護板を、前記スペーサで囲まれた前記領域の中央部に対応する部分を前記第１の面側に膨らませた円筒面状に湾曲させて未重合樹脂の層の中央部に当接させ、その後に、前記保護板を前記湾曲状態から元の平板状態に戻しながら前記未重合樹脂の層に押し付けることを特徴とする。
また、請求項１５に記載の発明は、前記請求項１４に記載の保護板一体型表示パネルの製造方法において、前記保護板は、矩形形状であり、前記保護板をその長手方向に湾曲させることを特徴とする。
また、請求項１６に記載の発明は、前記請求項９乃至１１のいずれかに記載の保護板一体型表示パネルの製造方法において、前記保護板は、平板状の透明板からなり、前記表示素子の前記第１の面上に、自重によって流れ広がらない程度の粘性をもった未重合樹脂を、前記スペーサで囲まれた前記領域の中央部に対応する部分を頂部とする山形に盛り上がらせて供給し、この未重合樹脂の層の上に前記保護板を押し付けることを特徴とする。
また、請求項１７に記載の発明は、前記請求項１６に記載の保護板一体型表示パネルの製造方法において、前記未重合樹脂は、ディスペンサによる滴下、転写またはスクリーン印刷の手段により、前記表示素子の前記第１の面上の前記スペーサで囲まれた前記領域全体に加えて、前記スペーサの上にはみ出した状態に供給することを特徴とする。